(57)【特許請求の範囲】
【請求項１】
移動局にワイヤレス通信を提供するための方法において、
移動局によってサポートされている複数の無線アクセス技術（ＲＡＴ）のリストを受信することと、
前記移動局によってサポートされている短距離ＲＡＴを介して、前記移動局との第１の接続を確立することと、
前記第１の接続を介して、複数の長距離ＲＡＴに対するまとめられたページング情報を含む統一されたページングメッセージを送ることと、
前記第１の接続を介して、前記移動局によってサポートされている１つ以上の長距離ＲＡＴに対する信号品質測定値を受信することと
を含み、
前記統一されたページングメッセージは、前記移動局によってサポートされている前記複数の長距離ＲＡＴのうちの前記１つ以上の長距離ＲＡＴをサポートするネットワーク上で、前記移動局に対するページング要求が検出されたという表示を含み、
前記信号品質測定値は、前記第１の接続を介して送信した測定要求に応じて受信される、方法。
【請求項２】
前記短距離ＲＡＴは、ＩＥＥＥ８０２．１１系列の標準規格にしたがった無線アクセス技術を含む、請求項１記載の方法。
【請求項３】
前記移動局によってサポートされているＲＡＴのうちの少なくとも１つは、電気電子技術者学会（ＩＥＥＥ）８０２．１６系列の標準規格のうちの１つ以上の標準規格にしたがったＲＡＴを含む、請求項１記載の方法。
【請求項４】
前記移動局によってサポートされているＲＡＴのうちの少なくとも１つは、コード分割多元接続（ＣＤＭＡ）ＲＡＴを含む、請求項３記載の方法。
【請求項５】
移動局にワイヤレス通信を提供する装置において、
プロセッサと、
前記プロセッサと電子的に通信するメモリと、
前記メモリ中に記憶されている命令とを具備し、
前記命令は、
移動局によってサポートされている複数の無線アクセス技術（ＲＡＴ）のリストを受信し、
前記移動局によってサポートされている短距離ＲＡＴを介して、前記移動局との第１の接続を確立し、
前記第１の接続を介して、複数の長距離ＲＡＴに対するまとめられたページング情報を含む統一されたページングメッセージを送り、
前記第１の接続を介して、前記移動局によってサポートされている１つ以上の長距離ＲＡＴに対する信号品質測定値を受信するように、前記プロセッサによって実行可能であり、
前記統一されたページングメッセージは、前記移動局によってサポートされている前記複数の長距離ＲＡＴのうちの前記１つ以上の長距離ＲＡＴをサポートするネットワーク上で、前記移動局に対するページング要求が検出されたという表示を含み、
前記信号品質測定値は、前記第１の接続を介して送信した測定要求に応じて受信される、装置。
【請求項６】
前記短距離ＲＡＴは、ＩＥＥＥ８０２．１１系列の標準規格にしたがった無線アクセス技術を含む、請求項５記載の装置。
【請求項７】
前記移動局によってサポートされているＲＡＴのうちの少なくとも１つは、電気電子技術者学会（ＩＥＥＥ）８０２．１６系列の標準規格のうちの１つ以上の標準規格にしたがったＲＡＴを含む、請求項５記載の装置。
【請求項８】
前記移動局によってサポートされているＲＡＴのうちの少なくとも１つは、コード分割多元接続（ＣＤＭＡ）ＲＡＴを含む、請求項６記載の装置。
【請求項９】
移動局にワイヤレス通信を提供する装置において、
移動局によってサポートされている複数の無線アクセス技術（ＲＡＴ）のリストを受信する手段と、
前記移動局によってサポートされている短距離ＲＡＴを介して、前記移動局との第１の接続を確立する手段と、
前記第１の接続を介して、複数の長距離ＲＡＴに対するまとめられたページング情報を含む統一されたページングメッセージを送る手段と、
前記第１の接続を介して、前記移動局によってサポートされている１つ以上の長距離ＲＡＴに対する信号品質測定値を受信する手段とを具備し、
前記統一されたページングメッセージは、前記移動局によってサポートされている前記複数の長距離ＲＡＴのうちの前記１つ以上の長距離ＲＡＴをサポートするネットワーク上で、前記移動局に対するページング要求が検出されたという表示を含み、
前記信号品質測定値は、前記第１の接続を介して送信した測定要求に応じて受信される、装置。
【請求項１０】
前記短距離ＲＡＴは、ＩＥＥＥ８０２．１１系列の標準規格にしたがった無線アクセス技術を含む、請求項９記載の装置。
【請求項１１】
前記移動局によってサポートされているＲＡＴのうちの少なくとも１つは、電気電子技術者学会（ＩＥＥＥ）８０２．１６系列の標準規格のうちの１つ以上の標準規格にしたがったＲＡＴを含む、請求項９記載の装置。
【請求項１２】
前記移動局によってサポートされているＲＡＴのうちの少なくとも１つは、コード分割多元接続（ＣＤＭＡ）ＲＡＴを含む、請求項１０記載の装置。
【請求項１３】
移動局にワイヤレス通信を提供するためのコンピュータプログラムにおいて、
前記コンピュータプログラムは、コンピュータ読取可能記憶媒体に記憶されている命令を有し、
前記命令は、１つ以上のプロセッサによって実行可能であり、
前記命令は、
前記プロセッサに、移動局によってサポートされている複数の無線アクセス技術（ＲＡＴ）のリストを受信させるための命令と、
前記プロセッサに、前記移動局によってサポートされている短距離ＲＡＴを介して、前記移動局との第１の接続を確立させるための命令と、
前記プロセッサに、前記第１の接続を介して、複数の長距離ＲＡＴに対するまとめられたページング情報を含む統一されたページングメッセージを送らせるための命令と、
前記プロセッサに、前記移動局によってサポートされている１つ以上の長距離ＲＡＴに対する信号品質測定値を受信させるための命令とを含み、
前記統一されたページングメッセージは、前記移動局によってサポートされている前記複数の長距離ＲＡＴのうちの前記１つ以上の長距離ＲＡＴをサポートするネットワーク上で、前記移動局に対するページング要求が検出されたという表示を含み、
前記信号品質測定値は、前記第１の接続を介して送信した測定要求に応じて受信される、コンピュータプログラム。
【請求項１４】
前記短距離ＲＡＴは、ＩＥＥＥ８０２．１１系列の標準規格にしたがった無線アクセス技術を含む、請求項１３記載のコンピュータプログラム。
【請求項１５】
前記移動局によってサポートされているＲＡＴのうちの少なくとも１つは、電気電子技術者学会（ＩＥＥＥ）８０２．１６系列の標準規格のうちの１つ以上の標準規格にしたがったＲＡＴを含む、請求項１３記載のコンピュータプログラム。
【請求項１６】
前記移動局によってサポートされているＲＡＴのうちの少なくとも１つは、コード分割多元接続（ＣＤＭＡ）ＲＡＴを含む、請求項１４記載のコンピュータプログラム。
【発明の詳細な説明】
【技術分野】
【０００１】
本開示の特定の実施形態は、一般的に、ワイヤレス通信に関連し、より詳細には、複数の無線アクセス技術をサポートする移動体デバイスと通信することに関連する。
【背景】
【０００２】
ＩＥＥＥ８０２．１６の下でのＯＦＤＭとＯＦＤＭＡワイヤレス通信システムは、複数の副搬送波の周波数の直交性に基づいて、システム中のサービスに対して登録しているワイヤレスデバイスと通信し、マルチパスフェージングと干渉に対する耐性のような、広帯域ワイヤレス通信に対する数多くの技術的利点を達成するように実現し得る。各基地局（ＢＳ）は、移動局（ＭＳ）への、および、ＭＳからのデータを伝送する無線周波数（ＲＦ）信号を出力し、受信する。
【０００３】
副搬送波に対して利用可能なサービスを拡張するために、いくつかのＭＳは、複数の無線アクセス技術（ＲＡＴ）との通信をサポートする。例えば、デュアルモードＭＳは、ブロードバンドデータサービスに対するＷｉＭＡＸと、音声サービスに対するコード分割多元接続（ＣＤＭＡ）とをサポートしてもよい。
【０００４】
残念なことに、従来のシステムでは、２つのネットワークの間の非効率的な切替は、いずれかのサービスにおけるスループットの減少をもたらすかもしれない。
【概要】
【０００５】
本開示の特定の実施形態は、複数の無線アクセス技術（ＲＡＴ）との通信をサポートするマルチモード移動局によるワイヤレス通信のための方法を提供する。ＲＡＴは、少なくとも１つの短距離ＲＡＴと、少なくとも１つの長距離ＲＡＴとを含んでもよい。方法は、一般的に、移動局によってサポートされている短距離ＲＡＴを介して、第１のネットワークとの第１の接続を確立することと、移動局によってサポートされている１つ以上の長距離ＲＡＴに対する信号品質測定値をとることと、第１の接続を介して、信号品質測定値を送信することとを含む。
【０００６】
本開示の特定の実施形態は、ワイヤレス通信のための方法を提供する。方法は、一般的に、移動局によってサポートされている複数の無線アクセス技術（ＲＡＴ）のリストを受信することと、ＲＡＴのうちの第１のＲＡＴを介して確立された第１の接続で、ＲＡＴのうちの第２の１つ以上のＲＡＴに対する信号品質測定値を受信することとを含む。
【０００７】
本開示の特定の実施形態は、複数の無線アクセス技術（ＲＡＴ）との通信をサポートするマルチモード移動局によるワイヤレス通信の装置を提供する。ＲＡＴは、少なくとも１つの短距離ＲＡＴと、少なくとも１つの長距離ＲＡＴとを含んでもよい。装置は、一般的に、移動局によってサポートされている短距離ＲＡＴを介して、第１のネットワークとの第１の接続を確立するロジックと、移動局によってサポートされている１つ以上の長距離ＲＡＴに対する信号品質測定値をとるロジックと、第１の接続を介して、信号品質測定値を送信するロジックとを具備する。
【０００８】
本開示の特定の実施形態は、ワイヤレス通信の装置を提供する。装置は、一般的に、移動局によってサポートされている複数の無線アクセス技術（ＲＡＴ）のリストを受信するロジックと、ＲＡＴのうちの第１のＲＡＴを介して確立された第１の接続で、ＲＡＴのうちの第２の１つ以上のＲＡＴに対する信号品質測定値を受信するロジックとを具備する。
【０００９】
本開示の特定の実施形態は、複数の無線アクセス技術（ＲＡＴ）との通信をサポートするマルチモード移動局によるワイヤレス通信の装置を提供する。ＲＡＴは、少なくとも１つの短距離ＲＡＴと、少なくとも１つの長距離ＲＡＴとを含んでもよい。装置は、一般的に、移動局によってサポートされている短距離ＲＡＴを介して、第１のネットワークとの第１の接続を確立する手段と、移動局によってサポートされている１つ以上の長距離ＲＡＴに対する信号品質測定値をとる手段と、第１の接続を介して、信号品質測定値を送信する手段とを具備する。
【００１０】
本開示の特定の実施形態は、ワイヤレス通信の装置を提供する。装置は、一般的に、移動局によってサポートされている複数の無線アクセス技術（ＲＡＴ）のリストを受信する手段と、ＲＡＴのうちの第１のＲＡＴを介して確立された第１の接続で、ＲＡＴのうちの第２の１つ以上のＲＡＴに対する信号品質測定値を受信する手段とを具備する。
【００１１】
本開示の特定の実施形態は、複数の無線アクセス技術（ＲＡＴ）との通信をサポートするマルチモード移動局によるワイヤレス通信のための、記憶されている命令を有するコンピュータ読取可能媒体を備える、コンピュータプログラム製品を提供し、１つ以上のプロセッサによって実行可能である。ＲＡＴは、少なくとも１つの短距離ＲＡＴと、少なくとも１つの長距離ＲＡＴとを含んでもよい。さらに、命令は、一般的に、移動局によってサポートされている短距離ＲＡＴを介して、第１のネットワークとの第１の接続を確立するための命令と、移動局によってサポートされている１つ以上の長距離ＲＡＴに対する信号品質測定値をとるための命令と、第１の接続を介して、信号品質測定値を送信するための命令とを含む。
【００１２】
本開示の特定の実施形態は、記憶されている命令を有するコンピュータ読取可能媒体を備える、ワイヤレス通信のためのコンピュータプログラム製品を提供し、命令は、１つ以上のプロセッサによって実行可能である。命令は、一般的に、移動局によってサポートされている複数の無線アクセス技術（ＲＡＴ）のリストを受信するための命令と、ＲＡＴのうちの第１のＲＡＴを介して確立された第１の接続で、ＲＡＴのうちの第２の１つ以上のＲＡＴに対する信号品質測定値を受信するための命令とを含む。
【図面の簡単な説明】
【００１３】
本開示の上記の特徴が、より詳細に理解されることができるような方法で、上に要約したものの、より詳細な説明を、これらのうちのいくつかのものが添付の図面に図示されている実施形態に対する参照によって行う。しかしながら、添付の図面は、本開示のある特定の典型的な実施形態だけを図示しており、したがって、その範囲を制限するとして考慮すべきでなく、記述は、他の同等に有効な実現を認めてもよいことに留意すべきである。  
【図１】図１は、本開示の特定の実施形態にしたがった、例示的なワイヤレス通信システムを図示する。
【図２】図２は、本開示の特定の実施形態にしたがった、ワイヤレスデバイスにおいて利用されてもよいさまざまなコンポーネントを図示する。
【図３】図３は、本開示の特定の実施形態にしたがった、直交周波数分割多重と、直交周波数分割多元接続（ＯＦＤＭ／ＯＦＤＭＡ）技術を利用するワイヤレス通信システム内で使用されてもよい例示的な送信機と例示的な受信機を図示する。
【図４】図４は、本開示の特定の実施形態にしたがった、複数の無線アクセス技術（ＲＡＴ）をサポートしてもよい、例示的なマルチモード移動局を図示する。
【図５】図５は、本開示の特定の実施形態にしたがった、長距離と短距離の無線アクセス技術の両方によってサービスされている領域を有する、例示的な地理的エリアを図示する。
【図６】図６は、本開示の特定の実施形態にしたがった、複数のサポートされている長距離と短距離の無線アクセス技術（ＲＡＴ）を介して、マルチモード移動局に対するアクセスを提供するネットワークによって実行される例示的な動作を図示する。
【図６Ａ】図６Ａは、本開示の特定の実施形態にしたがった、複数のサポートされている無線アクセス技術によってサービスされるマルチモード移動局の図６の例示的な動作に対応する手段のブロック図である。
【図７Ａ】図７Ａは、従来のＭＳ／長距離ＲＡＴのＢＳ交換を図示する。
【図７Ｂ】図７Ｂは、本開示の特定の実施形態にしたがった、ＭＳ／長距離ＲＡＴのＢＳ交換を図示する。
【発明の詳細な説明】
【００１４】
本開示の実施形態は、複数の無線アクセス技術（ＲＡＴ）をサポートしているマルチモード移動体デバイスが、それぞれの長距離ＲＡＴのページングチャネルをリスニングすることなく、アクティブなＷｉＦｉ接続を通して、ＭＳに対して向けられているトラフィックを示している長距離ＲＡＴページ要求を受信できるようにしてもよい。特に、実施形態は、アクティブなＷｉＦｉ接続を介してネットワークに接続されたマルチモードＭＳを提供して、ＷｉＦｉ接続を介してネットワークから、サポートされている長距離ＲＡＴを通してＭＳに向けられているトラフィックを示している長距離ＲＡＴページングメッセージを受信してもよく、これによって、ＭＳが、ＲＡＴの間で切り替えるために、サポートされている長距離ＲＡＴを通して、ページング要求をリスニングすることの必要性を減少させ、できるだけ電力を節約する。
【００１５】
例示的なワイヤレス通信システム  
本開示の方法と装置は、ブロードバンドワイヤレス通信システムにおいて利用されてもよい。ここで使用するように、用語“ブロードバンドワイヤレス”は、一般的に、所定のエリアにわたって、音声、インターネット、および／または、データネットワークアクセスのようなワイヤレスサービスの任意の組み合わせを提供する技術を指す。
【００１６】
マイクロウェーブアクセスのための世界的な相互互換性を意味する、ＷｉＭＡＸは、長距離にわたって高スループットブロードバンド接続を提供する標準規格ベースのブロードバンドワイヤレス技術である。今日、ＷｉＭＡＸの２つの主要なアプリケーションがある：据置ＷｉＭＡＸと移動ＷｉＭＡＸである。据置ＷｉＭＡＸアプリケーションは、ポイント対マルチポイントであり、例えば、家庭および企業に対するブロードバンドアクセスを可能にする。移動ＷｉＭＡＸは、ブロードバンド速度におけるセルラネットワークの完全なモビリティを提案する。
【００１７】
移動ＷｉＭＡＸは、ＯＦＤＭ（直交周波数分割多重）とＯＦＤＭＡ（直交周波数分割多元接続）技術に基づいている。ＯＦＤＭは、さまざまな高データレート通信システムにおいて、最近、幅広い適用を見出されてきたデジタル複数搬送波変調技術である。ＯＦＤＭでは、送信ビットストリームは、複数のより低いレートのサブストリームへと分けられる。それぞれのサブストリームは、複数の直交副搬送波のうちの１つで変調され、複数の並列サブチャネルのうちの１つを通して送られる。ＯＦＤＭＡは、異なる時間スロットにおいて、ユーザが副搬送波を割り当てられる多元接続技術である。ＯＦＤＭＡは、幅広いさまざまなアプリケーションと、データレートと、サービス品質要求とを有する、数多くのユーザを収容できるフレキシブルな多元接続技術である。
【００１８】
ワイヤレスインターネットと通信における急速な成長は、ワイヤレス通信サービスの分野における高データレートに対する増加しつつある需要をもたらしてきた。ＯＦＤＭ／ＯＦＤＭＡシステムは、今日、最も約束されている研究領域のうちの１つとしてみなされており、また、ワイヤレス通信の次世代のためのキーとなる技術としてみなされている。このことは、ＯＦＤＭ／ＯＦＤＭＡ変調スキームが、従来の単一搬送波変調スキームに比して、変調効率性と、スペクトル効率性と、フレキシビリティと、強いマルチパス耐性とのような、数多くの利点を提供できるという事実によるものである。
【００１９】
ＩＥＥＥ８０２．１６ｘは、据置および移動ブロードバンドワイヤレスアクセス（ＢＷＡ）システムに対する無線インターフェースを規定するための、台頭しつつある標準規格組織である。これらの標準規格は、少なくとも４つの異なる物理レイヤ（ＰＨＹ）と、１つの媒体アクセス制御（ＭＡＣ）レイヤとを規定する。４つの物理レイヤのうちの、ＯＦＤＭおよびＯＦＤＭＡ物理レイヤは、据置および移動ＢＷＡエリアにおいて、それぞれ最も人気がある。
【００２０】
図１は、その中で、本開示の実施形態が用いられてもよい、ワイヤレス通信システム１００の例を図示する。ワイヤレス通信システム１００は、ブロードバンドワイヤレス通信システムであってもよい。ワイヤレス通信システム１００は、いくつかのセル１０２に対して通信を提供してもよく、セル１０２のそれぞれは、基地局１０４によってサービスされている。基地局１０４は、ユーザ端末１０６と通信する据置局であってもよい。基地局１０４は、代わりに、アクセスポイント、ノードＢ、または、他の何らかの用語として呼ばれてもよい。
【００２１】
図１は、システム１００全体を通して分散しているさまざまなユーザ端末１０６を図示する。ユーザ端末１０６は、据置型（すなわち、据付型）、または、移動体であってもよい。ユーザ端末１０６は、代わりに、遠隔局、アクセス端末、端末、加入者ユニット、移動局、局、ユーザ装置、等として呼ばれてもよい。ユーザ端末１０６は、セルラ電話機、パーソナルデジタルアシスタント（ＰＤＡ）、ハンドヘルドデバイス、ワイヤレスモデム、ラップトップコンピュータ、パーソナルコンピュータ、等のようなワイヤレスデバイスであってもよい。
【００２２】
基地局１０４と、ユーザ端末１０６との間のワイヤレス通信システム１００において、送信のために、さまざまなアルゴリズムと方法を使用してもよい。例えば、ＯＦＤＭ／ＯＦＤＭＡ技術にしたがって、基地局１０４と、ユーザ端末１０６との間で、信号を送受信してもよい。このようなケースの場合、ワイヤレス通信システム１００は、ＯＦＤＭ／ＯＦＤＭＡシステムとして呼ばれてもよい。
【００２３】
基地局１０４から、ユーザ端末１０６に対する送信を容易にする通信リンクは、ダウンリンク１０８として呼ばれてもよく、ユーザ端末１０６から、基地局１０４に対する送信を容易にする通信リンクは、アップリンク１１０として呼ばれてもよい。代わりに、ダウンリンク１０８は、フォワードリンクまたはフォワードチャネルとして呼ばれてもよく、アップリンク１１０は、リバースリンクまたはリバースチャネルとして呼ばれてもよい。
【００２４】
セル１０２は、複数のセクタ１１２へと分けられていてもよい。セクタ１１２は、セル１０２内の物理的カバレッジエリアである。ワイヤレス通信システム１００内の基地局１０４は、セル１０２の特定のセクタ１１２内の電力の流れを集中させるアンテナを利用してもよい。このようなアンテナは、指向性アンテナとして呼ばれてもよい。
【００２５】
図２は、ワイヤレス通信システム１００内で用いられてもよいワイヤレスデバイス２０２中で利用されてもよいさまざまなコンポーネントを図示する。ワイヤレスデバイス２０２は、ここで記述したさまざまな方法を実現するように構成されていてもよいデバイスの例である。ワイヤレスデバイス２０２は、基地局１０４、または、ユーザ端末１０６であってもよい。
【００２６】
ワイヤレスデバイス２０２は、ワイヤレスデバイス２０２の動作を制御するプロセッサ２０４を含んでいてもよい。プロセッサ２０４はまた、中央処理ユニット（ＣＰＵ）として呼ばれてもよい。メモリ２０６は、読出専用メモリ（ＲＯＭ）とランダムアクセスメモリ（ＲＡＭ）との両方を含んでもよく、プロセッサ２０４に対して命令とデータを提供する。メモリ２０６の一部はまた、不揮発性ランダムアクセスメモリ（ＮＶＲＡＭ）も、含んでもよい。プロセッサ２０４は、一般的に、メモリ２０６内に記憶されているプログラム命令に基づいて、論理的および算術的演算を実行する。メモリ２０６中の命令は、ここで記述する方法を実現するために実行可能である。
【００２７】
ワイヤレスデバイス２０２はまた、ワイヤレスデバイス２０２と遠隔ロケーションとの間でデータの送受信を可能にするための、送信機２１０と受信機２１２とを備えてもよい筐体２０８も具備してもよい。送信機２１０と受信機２１２は、トランシーバ２１４へと結合されていてもよい。アンテナ２１６が筐体２０８に取付けられていてもよく、トランシーバ２１４に電気的に結合されていてもよい。ワイヤレスデバイス２０２はまた、（示していない）複数の送信機、複数の受信機、複数のトランシーバ、および／または、複数のアンテナを具備していてもよい。
【００２８】
ワイヤレスデバイス２０２はまた、トランシーバ２１４によって受信された信号のレベルを検出し、定量化するための試みにおいて使用されてもよい信号検出器２１８を具備してもよい。信号検出器２１８は、総エネルギー、副搬送波毎とシンボル毎のパイロットエネルギー、電力スペクトル深度、および、他の信号のような信号を検出してもよい。ワイヤレスデバイス２０２はまた、信号を処理する際に使用するための、デジタル信号プロセッサ（ＤＳＰ）２２０も具備していてもよい。
【００２９】
ワイヤレスデバイス２０２のさまざまなコンポーネントが、バスシステム２２２によってともに結合されていてもよく、バスシステム２２２は、データバスに加えて、電力バス、制御信号バス、および、ステータス信号バスを含んでいてもよい。
【００３０】
図３は、ＯＦＤＭ／ＯＦＤＭＡを利用するワイヤレス通信システム１００内で使用されてもよい送信機３０２の例を図示する。送信機３０２の一部は、ワイヤレスデバイス２０２の送信機２１０中で実現されてもよい。送信機３０２は、ダウンリンク１０８上で、ユーザ端末１０６に対して、データ３０６を送信するために、基地局１０４において実現されてもよい。送信機３０２はまた、アップリンク１１０上で、基地局１０４に対して、データ３０６を送信するために、ユーザ端末１０６において実現されてもよい。
【００３１】
送信されることになるデータ３０６は、直列並列（Ｓ／Ｐ）コンバータ３０８に対する入力として提供されているとして示されている。Ｓ／Ｐコンバータ３０８は、送信データをＮ個の並列データストリーム３１０へと分けてもよい。
【００３２】
Ｎ個の並列データストリーム３１０は、次に、入力としてマッパー３１２に提供されてもよい。マッパー３１２は、Ｎ個の並列データストリーム３１０を、Ｎ個の配列ポイント上へとマッピングしてもよい。バイナリ位相シフトキーイング（ＢＰＳＫ）、４相位相シフトキーイング（ＱＰＳＫ）、８相位相シフトキーイング（８ＰＳＫ）、直交振幅変調（ＱＡＭ）、等のような何らかの変調配列を使用して、マッピングが行われてもよい。したがって、マッパー３１２は、Ｎ個の並列シンボルストリーム３１６を出力してもよく、各シンボルストリーム３１６は、逆高速フーリエ変換（ＩＦＦＴ）３２０のＮ個の直交副搬送波のうちの１つに対応している。これらのＮ個の並列シンボルストリーム３１６は、周波数ドメインにおいて表現され、ＩＦＦＴコンポーネント３２０によって、Ｎ個の並列時間ドメインサンプルストリーム３１８へと変換されてもよい。
【００３３】
用語法についての簡潔な留意点をここで提供する。周波数ドメインにおけるＮ個の並列変調は、周波数ドメインにおけるＮ個の変調シンボルに等しく、これは、周波数ドメインにおけるＮ個のマッピングとＮポイントＩＦＦＴに等しく、これは、時間ドメインにおける１つの（有用な）ＯＦＤＭシンボルに等しく、これは、時間ドメインにおけるＮ個のサンプルに等しい。時間ドメインにおける１つのＯＦＤＭシンボルＮsは、Ｎcp（ＯＦＤＭシンボル毎のガードサンプルの数）＋Ｎ（ＯＦＤＭシンボル毎の有用なサンプルの数）に等しい。
【００３４】
Ｎ個の並列時間ドメインサンプルストリーム３１８は、並列直列（Ｐ／Ｓ）コンバータ３２４によって、ＯＦＤＭ／ＯＦＤＭＡシンボルストリーム３２２へと変換されてもよい。ガード挿入コンポーネント３２６は、ＯＦＤＭ／ＯＦＤＭＡシンボルストリーム３２２中の連続的なＯＦＤＭ／ＯＦＤＭＡシンボルの間に、ガードインターバルを挿入してもよい。ガード挿入コンポーネント３２６の出力は、次に、無線周波数（ＲＦ）フロントエンド３２８によって、所望の送信周波数帯域へと上位変換されてもよい。アンテナ３３０は、次に、結果となる信号３３２を送信してもよい。
【００３５】
図３はまた、ＯＦＤＭ／ＯＦＤＭＡを利用するワイヤレスデバイス２０２内で使用されてもよい受信機３０４の例を図示する。受信機３０４の一部は、ワイヤレスデバイス２０２の受信機２１２中で実現されてもよい。受信機３０４は、ダウンリンク１０８上で、基地局１０４からデータ３０６を受信するために、ユーザ端末１０６中で実現されてもよい。受信機３０４はまた、アップリンク１１０上で、ユーザ端末１０６からデータ３０６を受信するために、基地局１０４中で実現されてもよい。
【００３６】
送信された信号３３２は、ワイヤレスチャネル３３４上を移動しているとして示した。アンテナ３３０’によって信号３３２’が受信されるとき、受信された信号３３２’は、ＲＦフロントエンド３２８’によって、ベースバンド信号へと下位変換されてもよい。ガード除去コンポーネント３２６’は、次に、ガード挿入コンポーネント３２６によってＯＦＤＭ／ＯＦＤＭＡシンボルの間に挿入されたガードインターバルを除去してもよい。
【００３７】
ガード除去コンポーネント３２６’の出力が、Ｓ／Ｐコンバータ３２４’に提供されてもよい。Ｓ／Ｐコンバータ３２４’は、ＯＦＤＭ／ＯＦＤＭＡシンボルストリーム３２２’を、Ｎ個の並列時間ドメインシンボルストリーム３１８’へと分けてもよく、これらのそれぞれは、Ｎ個の直交副搬送波のうちの１つに対応する。高速フーリエ変換（ＦＦＴ）コンポーネント３２０’は、Ｎ個の並列時間ドメインシンボルストリーム３１８’を、周波数ドメインへと変換してもよく、Ｎ個の並列周波数ドメインシンボルストリーム３１６’を出力してもよい。
【００３８】
デマッパー３１２’は、マッパー３１２によって実行されたシンボルマッピング動作の逆を実行してもよく、これによって、Ｎ個の並列データストリーム３１０’を出力する。Ｐ／Ｓコンバータ３０８’は、Ｎ個の並列データストリーム３１０’を、単一のデータストリーム３０６’へと結合してもよい。理想的には、このデータストリーム３０６’は、送信機３０２に対する入力として提供されたデータ３０６に対応する。エレメント３０８’、３１０’、３１２’、３１６’、３２０’、３１８’、および、３２４’はすべて、ベースバンドプロセッサにおいて備えられていてもよい。
【００３９】
ＷｉＦｉがアクティブなときの例示的な節電マルチモード技術  
上に述べたように、ＩＥＥＥ８０２．１６標準規格に基づいているＷｉＭＡＸワイヤレス通信システムは、ワイヤレスデバイス（すなわち、移動局）と通信するために、サービスタワーに搭載されている基地局のネットワークを使用する。各基地局（ＢＳ）は、移動局（ＭＳ）（例えば、セル電話機、ラップトップコンピュータ、等）に対して、および、ＭＳからのデータを伝達する、無線周波数（ＲＦ）信号を出力し、受信する。同様に、他の無線アクセス技術（ＲＡＴ）は、基地局のネットワークを使用して、１つ以上のワイヤレスデバイスと通信する。例えば、ユニバーサル移動体電気通信システム（ＵＭＴＳ）、移動体通信のためのグローバルシステム（ＧＳＭ（登録商標））、および、ウルトラモバイルブロードバンド（ＵＭＢ）技術は、すべて、複数のＢＳを用いて、ＭＳに対する、および、ＭＳからのデータを伝送するＲＦ信号を送受信してもよい。単一のサービスタワーが、さまざまなＲＡＴの複数の基地局を物理的にサポートするかもしれないので、所定の地理的エリアは、１つより多い無線アクセス技術のカバレッジエリア内にあってもよい。
【００４０】
したがって、ＭＳ（すなわち、マルチモード移動局）は、複数のＲＡＴと通信するように構成されてもよい。ＭＳが、一度に単一のＲＡＴとしか接続されないかもしれないので、マルチモードＭＳは、ＭＳによってサポートされている、他のＲＡＴに関して、アイドルしているかもしれない。結果として、ＭＳは、定期的に、それぞれのＲＡＴに対応しているページングスケジュールに基づいて、それぞれのサポートされているＲＡＴに対するページングチャネルを定期的にリスニングするかもしれない。しかしながら、ページング要求をリスニングするための、さまざまなＲＡＴの間での切替は、追加の電力を要求し、ページング要求が存在しない場合、このことは無駄になるかもしれない。さらに、ページング要求のためにリスニングしているさまざまなＲＡＴの間でＭＳが切り替えている間に、データスループットが減少されるかもしれない。
【００４１】
図４は、マルチモードＭＳ４１０が、その中で、複数の長距離ワイヤレスＲＡＴ４２０1-4によってサービスされている地理的エリア中で動作してもよいシステム４００を図示する。この例において、マルチモードＭＳ４１０は、マイクロウェーブアクセスのための世界的な相互互換性（ＷｉＭＡＸ）サービス４２０1、ウルトラモバイルブロードバンド（ＵＭＢ）４２０2、長期進化（ＬＴＥ）サービス４２０3、進化高速パケットアクセス（ＨＳＰＡ＋）サービス４２０4、または、当業者によって知られている、他の何らかの移動体音声またはデータプロトコルを通して、ネットワークにアクセスしてもよい。
【００４２】
しかしながら、長距離ＲＡＴ（例えば、ＷｉＭＡＸまたはＣＤＭＡ）は、数キロメートルにわたってサービスを提供するように設計されているので、ページング要求に応答している、または、性能測定を提供している、マルチモードＭＳの電力消費は、些細ではない。対照的に、短距離ＲＡＴ（例えば、Ｗｉ−Ｆｉ）は、数百メートルにわたってサービスを提供するように設計されている。したがって、ページング要求に応答して、短距離ＲＡＴを通して性能測定を提供することは、より低い電力消費をもたらしてもよく、結果として、バッテリ寿命をより長くする。本開示の実施形態は、長距離ＲＡＴと短距離ＲＡＴとの両方に対して、マルチＲＡＴインターフェースロジック４３０を提供して、複数のＲＡＴのＢＳの間で情報が交換されることを可能にしてもよい。このことは、マルチモードＭＳ４１０が、短距離ＲＡＴを通して、長距離ＲＡＴに対する、性能測定を提供できるようにしてもよく、または、長距離ＲＡＴからのページング要求に答えられるようにしてもよい。
【００４３】
図５は、短距離および長距離ＲＡＴの両方を含む、さまざまなＲＡＴを通して、ネットワークが、どのように所定の地理的エリアに対するアクセスを提供してもよいかを図示する。例えば、現在の例は、どのようにネットワークが、第１の長距離ＲＡＴ  ＢＳ５０４1（例えば、ＷｉＭＡＸ  ＢＳ）、第２の長距離ＲＡＴ  ＢＳ５０４2、とともに、いくつかの短距離ＲＡＴ  ＢＳ  ５２４1-3（例えば、ＷｉＦｉ  ＢＳ）を通して、複数のＭＳへのアクセスを提供してもよいかを図示し、ここで、各ＢＳは、ワイヤーライン５３０（例えば、Ｅ１ライン、Ｔ１ライン、ＰＳＴＮライン、および、ケーブルライン）を通して、ネットワークに接続されている。
【００４４】
異なるポイントに位置している複数のＢＳを有しており、さまざまなＲＡＴを通して、ネットワークに対するアクセスを提供している結果として、マルチモードＭＳ（すなわち、ＭＳ−１からＭＳ−５）は、ネットワークに接続しているとき、１つより多いオプションを持っていてもよい。例えば、ＭＳ−２とＭＳ−３は、ＷｉＭＡＸサービスエリア５０２1と、第２の長距離ＲＡＴ  ＢＳ５０２2との内にあるので、ＭＳ−２とＭＳ−３との両方は、ＷｉＭＡＸ  ＢＳ  ５０４1、または、第２の長距離ＲＡＴ  ＢＳ５０４2とのいずれかを介して、ネットワークに接続するオプションを持つ。
【００４５】
マルチモードＭＳが、それを通してネットワークに接続してもよい、１つより多いＲＡＴを持つインスタンスでは、ＭＳは、それぞれのサポートされているＲＡＴのページングチャネルを、定期的にリスニングして、そのＭＳの利用可能なそれぞれのセル上にチャネル測定を実行して、対応しているＢＳに対してチャネル測定レポートを送信する必要があるかもしれない。それぞれのＲＡＴのページングサイクルは異なっているので、マルチモードＭＳは、ページングスケジュールコンフリクトによって、ページング信号を失うかもしれない。さらに、ページングチャネルを監視して、送信チャネル測定レポートを送信するために、異なるＲＡＴの間で切り替えることは、不必要な電力消費をもたらすかもしれない。
【００４６】
しかしながら、マルチモードＭＳが、短距離および長距離ＲＡＴの両方のサービスエリア内にあってもよいインスタンスがあるかもしれない。例えば、ＭＳ−４およびＭＳ−５は、両方とも、ＷｉＦｉサービスエリア（５２２1、５２２2、または、５２２3）とともに、１つ以上の長距離ＲＡＴのサービスエリア内にある。ＭＳが、ＷｉＦｉ  ＢＳ５２４と、１つ以上の長距離ＲＡＴに対するＢＳとの両方のサービスエリア内にあるインスタンスでは、それを通して、到来しているメッセージが移動しているＲＡＴが何であるかにかかわらず、ＷｉＦｉ接続を通してネットワークからの統一されたページングメッセージを受信することが、マルチモードＭＳにとって望ましい。
【００４７】
本開示のある実施形態にしたがった、統一されたページングメッセージは、ＭＳによってサポートされているＲＡＴのうちの１つを通して、ＭＳに向けられているメッセージを受信しているネットワークに応答して、ネットワークから単一のＲＡＴを通して、ＭＳに送られた単一のページングメッセージであってもよい。例えば、ネットワークは、ＷｉＭＡＸ  ＲＡＴを通して、ＭＳに対して向けられているメッセージを受信してもよい。応答して、ＷｉＦｉ接続を通して、ネットワークは、メッセージの存在だけでなく、それを通してＭＳに対するメッセージが利用可能なＲＡＴもまた示すように修正されていてもよい、統一されたページングメッセージを送ってもよい。
【００４８】
本開示の実施形態の実現は、ＭＳによる電力消費の減少をもたらすかもしれない。特に、統一されたページングメッセージの実現は、サポートされているすべてのＲＡＴのページングサイクルを、すべてのＲＡＴに対する単一の統一されたページングサイクルへとまとめる。結果として、より少ないページングサイクルが必要とされる。さらに、長距離ワイヤレス通信において実行される送信は、短距離ワイヤレス通信において実行される送信に比較されるとき、追加的な電力を要求する。したがって、ページング要求に応答して、ＷｉＦｉ接続を通してチャネル測定レポートを送信することは、長距離ＲＡＴを通して同一の動作を行うより低い送信電力を要求する。
【００４９】
図６は、複数のＲＡＴを通して、１つ以上のマルチモードＭＳに対してアクセスを提供しており、利用可能なＷｉＦｉ接続を利用して、ＭＳに対して統一されたページング要求を送っている、ネットワークの例示的な動作６００を図示する。動作は、図４に示したマルチＲＡＴインターフェースロジック４３０のような、さまざまなネットワークコンポーネントによって実行されてもよい。動作は６０２において開始し、ここで、ネットワークが第１のＲＡＴを介して、マルチモードＭＳからの登録要求を受信している。
【００５０】
６０４において、ネットワークは、第１のＲＡＴを通して、ＭＳを登録してもよい。登録プロセスの間に、ＭＳは、ネットワークに、ＭＳによってサポートされているすべてのＲＡＴについて知らせてもよい。このことは、特定のＲＡＴを支配的な標準規格を修正して、追加的情報を送信できるようにすることによって、行われてもよい。例えば、特定の支配的な標準規格の下で、従前に保存されたビットは、追加の情報（すなわち、マルチモードＭＳによってサポートされているＲＡＴ）を通信するのに利用されてもよい。
【００５１】
６０６において、ネットワークは、ＭＳのロケーションにおけるＷｉＦｉの利用可能性を確認してもよく、すなわち、言い換えると、ネットワークは、ＭＳが、ＷｉＦｉサービスエリア内にあるか否かを確認してもよい。ＭＳのロケーションにおいて、ＷｉＦｉが利用可能でない場合、ネットワークは、６０８に図示されているように、ＭＳとともに、長距離マルチモード動作を実行してもよい。しかしながら、ＭＳのロケーションにおいて、ＷｉＦｉが利用可能である場合、ネットワークは、６１０に図示されているように、ＷｉＦｉ接続を介して、マルチモードＭＳとともにＩＰ接続を確立してもよい。
【００５２】
６１２において、ネットワークは、ＭＳによってサポートされているすべての長距離ＲＡＴに対するページングプロセスをディセーブルして、統一されたページングプロセスを実現してもよい。このことは、それぞれの対応しているＲＡＴのＭＳを担当しているＢＳにおいて、ハードウェアまたはソフトウェアロジックを通しておこなわれてもよい。６１４において図示するように、ネットワークが、ＭＳに対して向けられているメッセージを受信するとき、ネットワークは、統一されたページングメッセージを使用して、ＷｉＦｉ  ＩＰ接続を介して、ＭＳをページングしてもよい。
【００５３】
６１６において、ネットワークは、ＭＳによってサポートされているすべてのＲＡＴに関する、ＭＳからの１組のチャネル測定レポートを定期的に受信してもよい。それぞれのチャネル測定レポート中のチャネル測定値は、搬送波対雑音比（ＣＮＲ）、搬送波干渉比（ＣＩＲ）、搬送波干渉比プラス雑音比（ＣＩＮＲ）、または、当業者によって知られている、他の何らかのチャネル測定値を含んでいてもよい。１組のチャネル測定レポートから、ネットワークは、それぞれのＲＡＴに対する受信品質メトリクスを導出してもよく、これを使用して、プライマリＲＡＴもしくは特定のＲＡＴ内でのベストセルを選択してもよい。
【００５４】
さらに、ＭＳが、ＷｉＦｉ接続を通してネットワークにアクティブに接続されているが、長距離ＲＡＴを通してはネットワークにアクティブに接続されていないとき、ＭＳは、ＷｉＦｉ信号が予め定められているしきい値を下回るときだけに、長距離ＲＡＴに対するチャネル測定を実行することによって、さらに節電してもよい。
【００５５】
定期的に、ネットワークは、６１８において図示したように、ＭＳが、まだＷｉＦｉサービスエリア内にあるか否かを評価してもよい。ＭＳが、まだＷｉＦｉサービスエリア内にある場合、ネットワークは、動作６１４−６１８を繰り返してもよい。しかしながら、ＭＳが、ＷｉＦｉサービスエリアから移動した場合、６２０において図示するように、ネットワークは、ＭＳのプライマリ長距離ＲＡＴのベストセルを選択してもよく、ＲＡＴを介して、ＭＳとの通常動作を続けてもよい。
【００５６】
上記の方法のさまざまな動作は、図面に図示したミーンズプラスファンクションブロックに対応しているさまざまなハードウェアおよび／またはソフトウェアコンポーネントおよび／またはモジュールによって実行されてもよい。一般的に、対照的なミーンズプラスファンクションブロック図を持っている図面中で図示した方法は、同様の番号を有するミーンズプラスファンクションブロックに対応する。例えば、図６に図示したブロック６０２−６２０は、図６Ａに図示したミーンズプラスファンクションブロック６０２Ａ−６２０Ａに対応する。
【００５７】
図７Ａと７Ｂは、従来のＭＳ／長距離ＲＡＴのＢＳ通信（図７Ａ）と、ＭＳ／ＷｉＦｉ／長距離ＲＡＴのＢＳ通信（図７Ｂ）との間の電力消費における差を図示する。図７Ａは、ＭＳと長距離ＢＳ５０４との間でのページング通信とチャネル測定交換が、どのように、ＷｉＦｉ  ＢＳ５２４とワイヤーライン５３０とをバイパスするかを図示する。ＭＳがＢＳに対して送信するたびに、ＭＳは、メッセージが数キロメートルを移動するのに十分な電力とともに、メッセージを送信しなければならない。メッセージを数キロメートル送信するために、ＭＳによって使用される電力量は、相当なものであり、ＭＳがチャージの間に動作してもよい、相当より短い時間量をもたらしている。
【００５８】
対照的に、図７Ｂは、ＭＳと長距離ＢＳ５０４との間でのページング通信とチャネル測定交換が、どのように、ＷｉＦｉ  ＢＳ５２４とワイヤーライン５３０とを通過するかを図示する。ＷｉＦｉ  ＢＳ５２４を通して、長距離ＢＳ５０４に対して送信することによって、ＭＳは、メッセージが数百メートルを移動するのに十分な電力とともに、メッセージを送信することを要求されるだけである。ＷｉＦｉ  ＢＳ５２４から、長距離ＢＳ５０４に対して移動するために、メッセージに対して必要とされる追加の電力は、電力消費が、より小さい問題であるコンポーネントである、ＢＳとワイヤーラインによって提供される。
【００５９】
さらに、本開示の実施形態は、ネットワークが、単一のＭＳ接続からの、すべてのＲＡＴに関するチャネル測定レポートを受信することを可能にしてもよい。記述したような集約された測定レポートは、ＭＳが、移動するとき、または、異なるサービス品質を要求するとき、ネットワークが、ハンドオーバをより良く計画し、実行することを可能にしてもよい。
【００６０】
さらに、ページング要求と、ページング応答と、測定レポートとは、追加的なワイヤーラインとＷｉＦｉ接続とを使用して交換されるので、１つ以上の長距離ＲＡＴを通してのより少ないトラフィックがあるかもしれず、ネットワークがより多くのＭＳを収容することを可能にしている。
【００６１】
ここで使用するように、用語“決定する”は、幅広い動作を包含する。例えば、“決定する”は、計算すること、演算すること、処理すること、導出すること、調べること、ルックアップすること（例えば、表、データベース、または別のデータ構造の中をルックアップすること）、確認すること、および類似物を含んでもよい。また、“決定すること”は、受信すること（例えば、情報を受信すること）、アクセスすること（例えば、メモリ中のデータにアクセスすること）、および類似物を含むことができる。また、“決定すること”は、解決すること、選択すること、選ぶこと、確立すること、および類似物を含むこともできる。
【００６２】
さまざまな異なる技術および技法を使用して、情報および信号を表してもよい。例えば、上の説明を通して参照された、データ、命令、コマンド、情報、信号、ビット、シンボルおよびチップは、電圧、電流、電磁波、磁界または磁気の粒子、光学界または光の粒子、あるいは、これらの何らかの組み合わせにより、表してもよい。
【００６３】
ここで記述する技術を、直交多重化スキームに基づいている通信システムを含む、さまざまな通信システムに対して使用してもよい。このような通信システムの例は、直交周波数分割多元接続（ＯＦＤＭＡ）システム、単一搬送波直交周波数分割多元接続（ＳＣ−ＦＤＭＡ）システム、等を含む。ＯＦＤＭＡシステムは、直交周波数分割多重（ＯＦＤＭ）を利用し、これは、全体のシステム帯域幅を、複数の直交副搬送波へと区分する変調技術である。これらの副搬送波は、トーン、ビン、等としても呼ばれる。ＯＦＤＭでは、各副搬送波は、データとは独立して変調されてもよい。ＳＣ−ＦＤＭＡシステムは、システム帯域幅全体を通して分散されている副搬送波上で送信するために、インターリーブされたＦＤＭＡ（ＩＦＤＭＡ）を利用してもよく、隣接副搬送波のブロック上で送信するために、ローカライズされたＦＤＭＡ（ＬＦＤＭＡ）を利用してもよく、または、隣接副搬送波の複数のブロック上で送信するために、拡張ＦＤＭＡ（ＥＦＤＭＡ）を利用してもよい。一般的に、変調シンボルは、ＯＦＤＭでは周波数ドメイン中で、そして、ＳＣ−ＦＤＭＡでは時間ドメイン中で送られる。
【００６４】
ここで開示した実施形態に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェア構成部品、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００６５】
本開示に関連した述べた方法またはアルゴリズムのステップは、ハードウェアで直接、プロセッサによって実行されるソフトウェアモジュールで、または、これら２つの組み合わせで具体化してもよい。ソフトウェアモジュールは、技術的に知られている何らかの形態の記憶媒体に存在していてもよい。使用されてもよい記憶媒体の例のいくつかは、ランダムアクセスメモリ（ＲＡＭ）、読出専用メモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令、または、多くの命令を含んでもよく、異なるプログラムおよび複数の記憶媒体にわたって、いくつかの異なるコードセグメントにわたって分散されていてもよい。記憶媒体は、プロセッサが記憶媒体から情報を読み取り、記憶媒体に情報を書き込むことができるようにプロセッサに結合される。代替実施形態では、記憶媒体はプロセッサと一体化されていてもよい。
【００６６】
ここで説明した方法は、説明した方法を達成するための１つ以上のステップまたは動作を含んでいてもよい。特許請求の範囲を逸脱することなく、これらの方法のステップおよび／または動作を相互交換してもよい。言い換えると、ステップまたは動作の特定の順序が指定されない限り、特定のステップまたは動作の順序および／または使用は、特許請求の範囲を逸脱することなく、変更してもよい。
【００６７】
説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、汎用または専用コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。
【００６８】
ソフトウェアまたは命令はまた、送信媒体を通して送信されてもよい。例えば、ソフトウェアが、ウェブサイト、サーバ、または、他のリモート源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。
【００６９】
さらに、ここで記述した方法と技術を実行する、モジュール、および／または、他の適切な手段は、適切なように、ユーザ端末によって、または、基地局によって、ダウンロードされることができ、および／または、異なる方法で取得されることができる。例えば、このようなデバイスは、サーバに結合されて、ここで記述した方法を実行する手段の転送を容易にすることができる。代わりに、ここで記述したさまざまな方法は、ユーザ端末、および／または、基地局が、記憶手段をデバイスに結合または提供する際に、さまざまな方法を取得できるように、記憶媒体（例えば、ＲＡＭ、ＲＯＭ、コンパクトディスク（ＣＤ）、または、フロッピーディスク等のような、物理記憶媒体）を介して提供されることができる。さらに、ここで記述した方法と技術をデバイスに提供するための、他の何らかの適切な技術を利用することができる。
【００７０】
特許請求の範囲は、上に説明した特定の構成およびコンポーネントに制限されていないことを理解すべきである。特許請求の範囲を逸脱することなく、さまざまな修正、変更、および変形が、上に説明した配置、特徴の動作および詳細、観点、および構成において、行われてもよい。  
以下に、本願出願の当初の特許請求の範囲に記載された発明を付記する。
［１］複数の無線アクセス技術（ＲＡＴ）との通信をサポートするマルチモード移動局によるワイヤレス通信のための方法において、
前記複数のＲＡＴは、少なくとも１つの短距離ＲＡＴと、少なくとも１つの長距離ＲＡＴとを含み、
前記移動局によってサポートされている短距離ＲＡＴを介して、第１のネットワークとの第１の接続を確立することと、
前記移動局によってサポートされている１つ以上の長距離ＲＡＴに対する信号品質測定値をとることと、
前記第１の接続を介して、前記信号品質測定値を送信することと
を含む方法。
［２］前記第１の接続を介して、前記移動局によってサポートされている長距離ＲＡＴをサポートする第２のネットワーク上で検出された、前記移動局に対するページング要求を示しているページングメッセージを受信することをさらに含む、上記［１］の方法。
［３］前記第１の接続を介して、前記ページングメッセージに応答することをさらに含む、上記［２］の方法。
［４］前記信号品質測定値は、前記移動局によってサポートされている長距離ＲＡＴをサポートする第２のネットワークを介して送られた測定要求に応答して送信される、上記［１］の方法。
［５］前記短距離ＲＡＴは、ＩＥＥＥ８０２．１１系列の標準規格にしたがった無線アクセス技術を含み、
前記移動局によってサポートされている短距離ＲＡＴを介して、第１のネットワークとの第１の接続を確立することは、前記短距離ＲＡＴを介して、インターネットプロトコル（ＩＰ）接続を確立することを含む、上記［１］の方法。
［６］ワイヤレス通信のための方法において、
移動局によってサポートされている複数の無線アクセス技術（ＲＡＴ）のリストを受信することと、
前記ＲＡＴのうちの第１のＲＡＴを介して確立された第１の接続で、前記ＲＡＴのうちの第２の１つ以上のＲＡＴに対する信号品質測定値を受信することと
を含む方法。
［７］前記第１の接続を介して、前記ＲＡＴのうちの前記第２の１つ以上のＲＡＴのうちの１つにおいて検出された、前記移動局に対するページング要求を示しているページングメッセージを送ることをさらに含む、上記［６］の方法。
［８］前記第１のＲＡＴは、ＩＥＥＥ８０２．１１系列の標準規格にしたがった短距離ＲＡＴを含む、上記［６］の方法。
［９］前記移動局によってサポートされている前記ＲＡＴのうちの少なくとも１つは、電気電子技術者学会（ＩＥＥＥ）８０２．１６系列の標準規格のうちの１つ以上の標準規格にしたがったＲＡＴを含む、上記［６］の方法。
［１０］前記移動局によってサポートされている前記ＲＡＴのうちの少なくとも１つは、コード分割多元接続（ＣＤＭＡ）ＲＡＴを含む、上記［８］の方法。
［１１］複数の無線アクセス技術（ＲＡＴ）との通信をサポートするマルチモード移動局によるワイヤレス通信の装置において、
前記複数のＲＡＴは、少なくとも１つの短距離ＲＡＴと、少なくとも１つの長距離ＲＡＴとを含み、
前記移動局によってサポートされている短距離ＲＡＴを介して、第１のネットワークとの第１の接続を確立するロジックと、
前記移動局によってサポートされている１つ以上の長距離ＲＡＴに対する信号品質測定値をとるロジックと、
前記第１の接続を介して、前記信号品質測定値を送信するロジックと
を具備する装置。
［１２］前記第１の接続を介して、前記移動局によってサポートされている長距離ＲＡＴをサポートする第２のネットワーク上で検出された、前記移動局に対するページング要求を示しているページングメッセージを受信するロジックをさらに具備する、上記［１１］の装置。
［１３］前記第１の接続を介して、前記ページングメッセージに応答するロジックをさらに具備する、上記［１２］の装置。
［１４］前記信号品質測定値は、前記移動局によってサポートされている長距離ＲＡＴをサポートする第２のネットワークを介して送られた測定要求に応答して送信される、上記［１１］の装置。
［１５］前記短距離ＲＡＴは、ＩＥＥＥ８０２．１１系列の標準規格にしたがった無線アクセス技術を含み、
前記移動局によってサポートされている短距離ＲＡＴを介して、第１のネットワークとの第１の接続を確立するロジックは、前記短距離ＲＡＴを介して、インターネットプロトコル（ＩＰ）接続を確立するロジックを備える、上記［１１］の装置。
［１６］ワイヤレス通信の装置において、
移動局によってサポートされている複数の無線アクセス技術（ＲＡＴ）のリストを受信するロジックと、
前記ＲＡＴのうちの第１のＲＡＴを介して確立された第１の接続で、前記ＲＡＴのうちの第２の１つ以上のＲＡＴに対する信号品質測定値を受信するロジックと
を具備する装置。
［１７］前記第１の接続を介して、前記ＲＡＴのうちの前記第２の１つ以上のＲＡＴのうちの１つにおいて検出された、前記移動局に対するページング要求を示しているページングメッセージを送るロジックをさらに具備する、上記［１６］の装置。
［１８］前記第１のＲＡＴは、ＩＥＥＥ８０２．１１系列の標準規格にしたがった短距離ＲＡＴを含む、上記［１６］の装置。
［１９］前記移動局によってサポートされている前記ＲＡＴのうちの少なくとも１つは、電気電子技術者学会（ＩＥＥＥ）８０２．１６系列の標準規格のうちの１つ以上の標準規格にしたがったＲＡＴを含む、上記［１６］の装置。
［２０］前記移動局によってサポートされている前記ＲＡＴのうちの少なくとも１つは、コード分割多元接続（ＣＤＭＡ）ＲＡＴを含む、上記［１８］の装置。
［２１］複数の無線アクセス技術（ＲＡＴ）との通信をサポートするマルチモード移動局によるワイヤレス通信の装置において、
前記複数のＲＡＴは、少なくとも１つの短距離ＲＡＴと、少なくとも１つの長距離ＲＡＴとを含み、
前記移動局によってサポートされている短距離ＲＡＴを介して、第１のネットワークとの第１の接続を確立する手段と、
前記移動局によってサポートされている１つ以上の長距離ＲＡＴに対する信号品質測定値をとる手段と、
前記第１の接続を介して、前記信号品質測定値を送信する手段と
を具備する装置。
［２２］前記第１の接続を介して、前記移動局によってサポートされている長距離ＲＡＴをサポートする第２のネットワーク上で検出された、前記移動局に対するページング要求を示しているページングメッセージを受信する手段をさらに具備する、上記［２１］の装置。
［２３］前記第１の接続を介して、前記ページングメッセージに応答する手段をさらに具備する、上記［２２］の装置。
［２４］前記信号品質測定値は、前記移動局によってサポートされている長距離ＲＡＴをサポートする第２のネットワークを介して送られた測定要求に応答して送信される、上記［２１］の装置。
［２５］前記短距離ＲＡＴは、ＩＥＥＥ８０２．１１系列の標準規格にしたがった無線アクセス技術を含み、
前記移動局によってサポートされている短距離ＲＡＴを介して、第１のネットワークとの第１の接続を確立する手段は、前記短距離ＲＡＴを介して、インターネットプロトコル（ＩＰ）接続を確立する手段を備える、上記［２１］の装置。
［２６］ワイヤレス通信の装置において、
移動局によってサポートされている複数の無線アクセス技術（ＲＡＴ）のリストを受信する手段と、
前記ＲＡＴのうちの第１のＲＡＴを介して確立された第１の接続で、前記ＲＡＴのうちの第２の１つ以上のＲＡＴに対する信号品質測定値を受信する手段と
を具備する装置。
［２７］前記第１の接続を介して、前記ＲＡＴのうちの前記第２の１つ以上のＲＡＴのうちの１つにおいて検出された、前記移動局に対するページング要求を示しているページングメッセージを送る手段をさらに具備する、上記［２６］の装置。
［２８］前記第１のＲＡＴは、ＩＥＥＥ８０２．１１系列の標準規格にしたがった短距離ＲＡＴを含む、上記［２６］の装置。
［２９］前記移動局によってサポートされている前記ＲＡＴのうちの少なくとも１つは、電気電子技術者学会（ＩＥＥＥ）８０２．１６系列の標準規格のうちの１つ以上の標準規格にしたがったＲＡＴを含む、上記［２６］の装置。
［３０］前記移動局によってサポートされている前記ＲＡＴのうちの少なくとも１つは、コード分割多元接続（ＣＤＭＡ）ＲＡＴを含む、上記［２８］の装置。
［３１］複数の無線アクセス技術（ＲＡＴ）との通信をサポートするマルチモード移動局によるワイヤレス通信のための、記憶されている命令を有するコンピュータ読取可能媒体を備える、コンピュータプログラム製品において、
前記命令は、１つ以上のプロセッサによって実行可能であり、
前記命令は、
前記移動局によってサポートされている短距離ＲＡＴを介して、第１のネットワークとの第１の接続を確立するための命令と、
前記移動局によってサポートされている１つ以上の長距離ＲＡＴに対する信号品質測定値をとるための命令と、
前記第１の接続を介して、前記信号品質測定値を送信するための命令と
を含むコンピュータプログラム製品。
［３２］前記命令は、前記第１の接続を介して、前記移動局によってサポートされている長距離ＲＡＴをサポートする第２のネットワーク上で検出された、前記移動局に対するページング要求を示しているページングメッセージを受信するための命令をさらに含む、上記［３１］のコンピュータプログラム製品。
［３３］前記命令は、前記第１の接続を介して、前記ページングメッセージに応答するための命令をさらに含む、上記［３２］のコンピュータプログラム製品。
［３４］前記信号品質測定値は、前記移動局によってサポートされている長距離ＲＡＴをサポートする第２のネットワークを介して送られた測定要求に応答して送信される、上記［３１］のコンピュータプログラム製品。
［３５］前記短距離ＲＡＴは、ＩＥＥＥ８０２．１１系列の標準規格にしたがった無線アクセス技術を含み、
前記移動局によってサポートされている短距離ＲＡＴを介して、第１のネットワークとの第１の接続を確立する命令は、前記短距離ＲＡＴを介して、インターネットプロトコル（ＩＰ）接続を確立するための命令を含む、上記［３１］のコンピュータプログラム製品。
［３６］記憶されている命令を有するコンピュータ読取可能媒体を備える、ワイヤレス通信のためのコンピュータプログラム製品において、
前記命令は、１つ以上のプロセッサによって実行可能であり、
前記命令は、
移動局によってサポートされている複数の無線アクセス技術（ＲＡＴ）のリストを受信するための命令と、
前記ＲＡＴのうちの第１のＲＡＴを介して確立された第１の接続で、前記ＲＡＴのうちの第２の１つ以上のＲＡＴに対する信号品質測定値を受信するための命令と
を含む、コンピュータプログラム製品。
［３７］前記命令は、前記第１の接続を介して、前記ＲＡＴのうちの前記第２の１つ以上のＲＡＴのうちの１つにおいて検出された、前記移動局に対するページング要求を示しているページングメッセージを送るための命令をさらに含む、上記［３６］のコンピュータプログラム製品。
［３８］前記第１のＲＡＴは、ＩＥＥＥ８０２．１１系列の標準規格にしたがった短距離ＲＡＴを含む、上記［３６］のコンピュータプログラム製品。
［３９］前記移動局によってサポートされている前記ＲＡＴのうちの少なくとも１つは、電気電子技術者学会（ＩＥＥＥ）８０２．１６系列の標準規格のうちの１つ以上の標準規格にしたがったＲＡＴを含む、上記［３６］のコンピュータプログラム製品。
［４０］前記移動局によってサポートされている前記ＲＡＴのうちの少なくとも１つは、コード分割多元接続（ＣＤＭＡ）ＲＡＴを含む、上記［３８］のコンピュータプログラム製品。
【図１】
0006026327.tif 000002
【図２】
0006026327.tif 000003
【図３】
0006026327.tif 000004
【図４】
0006026327.tif 000005
【図５】
0006026327.tif 000006
【図６】
0006026327.tif 000007
【図６Ａ】
0006026327.tif 000008
【図７Ａ】
0006026327.tif 000009
【図７Ｂ】
0006026327.tif 000010